(57)【要約】【課題】ポインティングデバイスの操作性能を向上する。【解決手段】少なくとも座標位置を指定する操作を実行する主操作手段（光学センサ部３０、変位検出部３１、操作ボタン４０、操作検出部４１）と、主操作手段で指定された座標位置に基づいて所定の操作を実行する副操作手段（タッチパネル２０、タッチ操作検出部２１）と、を備え、主操作手段と副操作手段とを切替可能としたポインティングデバイス１０である。【選択図】図２
2015141686.tif 000002
【特許請求の範囲】
【請求項１】
少なくとも座標位置を指定する操作を実行する主操作手段と、
前記主操作手段で指定された前記座標位置に基づいて所定の操作を実行する副操作手段と、を備え、
前記主操作手段と前記副操作手段とを切替可能としたことを特徴とするポインティングデバイス。
【請求項２】
前記主操作手段により、オブジェクトの選択操作を実行し、
前記副操作手段により、前記主操作手段で選択された前記オブジェクトを含む所定範囲を指定する操作を実行し、
前記主操作手段により、前記副操作手段で選択された前記所定範囲について、所定の処理を実行するための操作を実行することを特徴とする請求項１に記載のポインティングデバイス。
【請求項３】
前記主操作手段として、ポインティングデバイスの変位方向および変位量を検出する変位検出手段と、選択操作を行う操作ボタンと、を備えるとともに、
前記副操作手段として、タッチパネルを備えることを特徴とする請求項１または２に記載のポインティングデバイス。
【請求項４】
前記タッチパネルへの接触を検出した際に、前記主操作手段による操作を停止し、前記前記タッチパネルへの接触解除を検出した際に、前記主操作手段による操作を再開させることを特徴とする請求項３に記載のポインティングデバイス。
【請求項５】
前記主操作手段による操作と、前記副操作手段による操作を切り替えるための切替手段を備え、
前記切替手段に所定の操作がされた際に、前記主操作手段と前記副操作手段とを切り替えることを特徴とする請求項１または２に記載のポインティングデバイス。
【請求項６】
ヘッドマウントディスプレイ型であって、
操作者の眼球を撮影し、操作者の視線を追尾する撮像装置と、
前記撮像装置で撮影される操作者の視線位置を表示する表示装置と、
タッチパネルと、を備え
前記撮像装置が前記主操作手段、前記タッチパネルが前記副操作手段として機能することを特徴とする請求項１に記載のポインティングデバイス。
【請求項７】
請求項１から６までのいずれかに記載のポインティングデバイスと、
前記ポインティングデバイスから信号が入力され、前記ポインティングデバイスが前記主操作手段として機能している場合と、前記副操作手段として機能している場合と、を判別して、判別結果に応じた処理を実行する情報処理手段と、を備えることを特徴とする情報処理装置。
【請求項８】
請求項１から６までのいずれかに記載のポインティングデバイスと、
前記ポインティングデバイスから信号が入力され、前記ポインティングデバイスが前記主操作手段として機能している場合と、前記副操作手段として機能している場合と、を判別して、判別結果に応じた処理を実行する情報処理装置と、を備えることを特徴とする情報処理システム。
【請求項９】
少なくとも座標位置を指定する操作を実行する主操作手段と、
前記主操作手段で指定された前記座標位置に基づいて所定の操作を実行する副操作手段と、を備えたポインティングデバイスに、
前記主操作手段により、オブジェクトの選択操作を実行させ、
前記副操作手段により、前記主操作手段で選択された前記オブジェクトを含む所定範囲を指定する操作を実行させ、
前記主操作手段により、前記副操作手段で選択された前記所定範囲について、所定の処理を実行するための操作を実行させることを特徴とするポインティングデバイスの制御方法。
【発明の詳細な説明】
【技術分野】
【０００１】
本発明は、ポインティングデバイス、情報処理装置、情報処理システムおよびポインティングデバイスの制御方法に関する。
【背景技術】
【０００２】
パーソナルコンピュータなどの情報処理装置の入力装置であるポインティングデバイスとして、マウスが広く用いられている。従来のボール式マウスは、載置面の汚れによって精度が低下し易かったが、最近では、汚れにくく清掃が容易な光学式（オプティカル式）マウスが主流となってきている。かかる光学式マウスは、赤外線等の反射波を観測することで、マウスとマウスの載置面との変位を検出している。
【０００３】
また、ポインティングデバイスとして、ペンの形をした受光装置を表示装置に接触させ、その位置が光るタイミングを拾い、画面上の位置を認識するライトペンや、平板状のセンサを指でなぞることでマウスポインタの操作をするタッチパッドなどが普及してきている。
【０００４】
ここで、ポインティングデバイスを用いて所定の範囲を選択し、選択範囲について、ポインティングデバイスに付随するボタンを操作して、所定の処理を実行しようとする際に、所望の選択範囲がうまく選択できず、意図せずにずれてしまうことがある。
【０００５】
例えば、マウスを用いてディスプレイに表示された複数のオブジェクト（アイコン）のうち所定範囲にある複数のアイコンを選択し、選択された複数のアイコンを削除する操作を考える。一般にマウスを用いた所定範囲の選択は、マウスのドラッグアンドドロップ操作によりなされる。また、選択開始位置は、ドラッグ開始時（ボタンを押しながら移動を開始する時点）の位置であり、選択終了位置は、ドロップ時（移動を完了してボタンを離す時点）の位置である。
【０００６】
しかしながら、ドラッグ開始時のクリック操作を行う際、ボタンを押下する反動で所望の開始位置からずれてしまう場合がある。このような指定位置のずれが生じてしまうと、選択対象としたい複数のオブジェクトのうち一部のオブジェクトの選択をすることができず、再度、ドラッグアンドドロップ操作による座標指定を行うことが必要となる。
【０００７】
また、ドロップ操作時のクリック解除操作を行った時、カーソル（ポインタ）は、選択範囲の終点（端の位置）にある。そのため、例えば、右クリックなどにより次の操作を実行しようとすると、マウスの指示位置がわずかにずれていた場合などにおいて、選択範囲外での操作となり、選択範囲が解除されてしまう。このマウスの指定位置のずれは、ドロップ時において、クリック解除を行うタイミングよりもマウスを停止させるタイミングが遅いと生じてしまうため、頻繁に生じやすい。この場合も再度、ドラッグアンドドロップ操作による座標指定を行うことが必要となる。
【０００８】
また、ライトペンやタッチパッド等、操作を指示する際に指定された絶対座標を取得するポインティングデバイスでも、同様に、意図しない座標のズレが発生してしまう。特に、ライトペンや、タブレットデバイスのスタイラスなどに付属するボタンを押下する場合、ポインティングデバイスを保持する支点と位置を指示する作用点（先端部）の間に押下するボタンである力点が存在することとなるため、ずれが発生しやすい。
【０００９】
例えば、特許文献１には、タッチスクリーンディスプレイと、タッチスクリーンディスプレイを振動させるモータと、ソフトウェアタッチパッドをタッチスクリーンディスプレイ（ＬＣＤ）に表示させるソフトウェアタッチパッド表示部と、タッチスクリーンディスプレイに対するタッチ位置を判別するタッチ位置判別部と、判別されたタッチ位置がソフトウェアタッチパッド内からソフトウェアタッチパッド外に移動した場合に、タッチ位置がソフトウェアタッチパッド外にある間、モータを振動させるように制御する振動制御部と、を有する情報処理装置が開示されている。
【発明の概要】
【発明が解決しようとする課題】
【００１０】
特許文献１では、タッチスクリーンに設定された特定のエリアに対する操作の操作性の向上を図っているが、情報処理装置が備えるタッチスクリーンディスプレイを振動させる構成であり、ポインティングデバイスの構成により上記の問題を解決できるものではない。
【００１１】
そこで本発明は、１のポインティングデバイスにおいて、操作内容の目的に応じて、主ポインティングデバイスと副ポインティングデバイスとで操作を分担させることで、操作性能を向上することができるポインティングデバイスを提供することを目的とする。
【課題を解決するための手段】
【００１２】
かかる目的を達成するため、本発明に係るポインティングデバイスは、少なくとも座標位置を指定する操作を実行する主操作手段と、前記主操作手段で指定された前記座標位置に基づいて所定の操作を実行する副操作手段と、を備え、前記主操作手段と前記副操作手段とを切替可能としたものである。
【発明の効果】
【００１３】
本発明によれば、ポインティングデバイスの操作性能を向上することができる。
【図面の簡単な説明】
【００１４】
【図１】第１の実施形態に係るポインティングデバイスの外観斜視図である。
【図２】ポインティングデバイスと情報処理装置からなる情報処理システムのブロック図である（第１の実施形態）。
【図３】ポインティングデバイスの操作の一例を示すフローチャートである。
【図４】情報処理装置の表示部に３つのオブジェクトが表示されている様子およびオブジェクトの選択操作を説明する説明図である（第１の実施形態）。
【図５】スプレッド操作の説明図である。
【図６】情報処理装置の表示部に３つのオブジェクトが表示されている様子およびオブジェクトの選択操作を説明する説明図である（第２の実施形態）。
【図７】第３の実施形態に係るポインティングデバイスの外観斜視図である。
【図８】ポインティングデバイスと情報処理装置からなる情報処理システムのブロック図である（第３の実施形態）。
【図９】情報処理装置の表示部に３つのオブジェクトが表示されている様子およびオブジェクトの選択操作を説明する説明図である（第３の実施形態）。
【図１０】第４の実施形態に係るポインティングデバイスの外観図である。
【発明を実施するための形態】
【００１５】
以下、本発明に係る構成を図１から図１０に示す実施の形態に基づいて詳細に説明する。
【００１６】
［第１の実施形態］
（ポインティングデバイスの構成）
図１に本実施形態に係るポインティングデバイスの外観図を示す。図１に示すポインティングデバイス１０は、タッチパネル２０を備えた光学式マウスである。ポインティングデバイス１０は、上面側にタッチパネル２０が設けられるとともに、操作ボタン４０が左側面に設けられている。また、図示されない底面側には、発光器と受光器を備え、移動の量、方向、速度を光学的に読み取る光学センサ部３０が設けられている。
【００１７】
図１に示すポインティングデバイス１０は、例えば、ユーザが右手で操作を行う際、操作ボタン４０を親指で、タッチパネル２０を人差し指、中指などで操作することが可能となる。
【００１８】
なお、操作ボタン４０およびタッチパネル２０の配置位置は一例であって、これに限られるものではない。また、図１では、操作ボタン４０がいわゆる左クリック用のＬボタン４０ａと右クリック用のＲボタン４０ｂの２つのボタンからなる例を示しているが、操作ボタン４０の数は限られるものではなく、１つであっても３以上であっても良い。また、スクロール操作を可能とするホイール等が設けられていてもよい。
【００１９】
また、図２に、図１に示すポインティングデバイス１０と情報処理装置７０からなる情報処理システムのブロック図を示す。図２に示すように、ポインティングデバイス１０は、タッチパネル２０と、光学センサ部３０と、操作ボタン４０と、ポインティングデバイス全体の制御を行うコントローラ５０と、情報処理装置７０に信号を出力する信号出力部６０と、を備えている。
【００２０】
また、タッチ操作検出部２１、変位検出部３１、および操作検出部４１を備えており、タッチ操作検出部２１は、タッチパネル２０上でのユーザによる指、スライタスペンなどでの操作内容を検出し、これをコントローラ５０へ送る。また、変位検出部３１は、光学センサ部３０での変位量、変位方向を検出し、これをコントローラ５０へ送る。また、操作検出部４１は、操作ボタン４０でのクリックの有無等を検出して、これをコントローラ５０へ送る。また、コントローラ５０では、操作内容、変位量、変位方向、クリックの有無等に基づいて、信号を生成し、信号出力部６０から情報処理装置７０へ信号を出力させる。
【００２１】
また、コントローラ５０は、信号出力部６０から情報処理装置７０に出力する信号にポインティングデバイス１０が主ポインティングデバイスとして機能している状態と、副ポインティングデバイスとして機能している状態と、を判別可能な信号を出力させる。情報処理装置７０の制御部では、当該信号に基づいてポインティングデバイス１０がいずれの状態であるのかを判断し、状態に応じた操作内容を実現させる。
【００２２】
なお、ポインティングデバイス１０と情報処理装置７０との通信は、有線であっても、無線であっても良い。無線通信の場合、信号出力部６０では、赤外線や電磁波（Ｂｌｕｅｔｏｏｔｈ（登録商標）、ＺｉｇＢｅｅ、ＮＦＣ（Near  Field  Communication）等）を利用し、情報処理装置７０に対して操作内容、変位量、変位方向、クリックの有無等を含む無線信号を送信する。なお、無線通信を行う場合、ポインティングデバイス１０は充電式または電池式の電源を備えている。
【００２３】
（ポインティングデバイスの制御）
本実施形態に係るポインティングデバイスは、少なくとも座標位置を指定する操作を実行する主操作手段と、主操作手段で指定された座標位置に基づいて所定の操作を実行する副操作手段と、を備え、主操作手段と副操作手段とを切替可能としたものである。
【００２４】
ここで、本実施形態においては、主ポインティングデバイス（主操作手段）とは、光学センサ部３０および変位検出部３１によるポインティングデバイス１０の相対移動距離、移動方向、速度の検出と、操作ボタン４０および操作検出部４１によるボタン操作の検出である。また、副ポインティングデバイス（副操作手段）とは、タッチパネル２０とタッチ操作検出部２１によるタッチ操作の検出である。なお、本実施形態では、タッチパネル２０が少なくとも２点以上の座標検出が可能なタッチパネル（複数点検出タッチパネルともいう）である例について説明する。
【００２５】
図３は、ポインティングデバイス１０の操作を示すフローチャートである。また、図４は、情報処理装置７０のモニターなどの表示部７１に３つのオブジェクト８１，８２，８３が表示されている様子を示す模式図である。以下、この３つのオブジェクト８１，８２，８３を同時に選択して、３つのオブジェクト８１，８２，８３に所定の処理をする操作（コピー動作、切り取り動作など）について説明する。
【００２６】
先ず、図４（ａ）に示すように、主ポインティングデバイスにより操作対象オブジェクト（ここでは、オブジェクト８１とする）へポインタ８０を移動させる（Ｓ１０１）。変位検出部３１はポインティングデバイス１０の変位量、変位方向を検出して、この変位量、変位方向に対応して、ポインタ８０は移動する。つまり、光学式マウスを用いた通常のポインタ位置の移動操作である。
【００２７】
次いで、副ポインティングデバイスによる選択操作を開始する（Ｓ１０２）。本実施形態では、図５に示すように、タッチパネル２０上で２本の指を一か所（図中の点）から互いに離れる方向に動かす操作（スプレッド操作）を行うものである。このスプレッド操作に対応して、図４（ｂ）に示す点線で示す選択枠８４の大きさを操作することができる。なお、タッチパネル２０上での選択枠８４の操作方法は、スプレッド操作に限られるものではない。また、本実施形態では、副ポインティングデバイスによる操作開始時のタッチパネル２０の中央位置を主ポインティングデバイスにより指示された座標位置としている。また、図４（ｂ）に示すように、副ポインティングデバイスの操作開始時において、操作開始位置に十字ポインタ８５が表示される。
【００２８】
Ｓ１０２の操作の開始時において、ポインティングデバイス１０は、主ポインティングデバイスによる操作から副ポインティング操作による操作に切り替わる。すなわち、タッチパネル２０にユーザの指やスライタスペンが接触した時を副ポインティングデバイスによる操作開始のトリガとする。
【００２９】
そして、点線で示す選択枠８４を、操作対象としたいオブジェクトをすべて含んだ所望の大きさとすると、副ポインティングデバイスによる選択操作を終了する（Ｓ１０３）。なお、複数点検出タッチパネルを使用する際は、副ポインティングデバイスの操作終了時の検出された各ポイントに外接する矩形が選択範囲（選択枠８４）となる。
【００３０】
Ｓ１０３の操作の終了時において、ポインティングデバイス１０は、副ポインティングデバイスによる操作から主ポインティング操作による操作に戻る。なお、副ポインティング操作での操作中（Ｓ１０２〜Ｓ１０３）は、主ポインティングデバイスはロックされ、ポインティングデバイスを変位させてもポインタ８０の移動はされない。
【００３１】
本実施形態では、タッチパネル２０からユーザの指やスライタスペンが離れた時（接触状態の解除時）を副ポインティングデバイスによる操作終了のトリガとする。
【００３２】
Ｓ１０３の操作終了時に、図４（ｃ）に示すように、十字ポインタ８５および選択枠８４の表示は解除され、選択枠８４で選択された矩形範囲内のオブジェクト８１，８２，８３が選択された状態となる。この際、ポインタ８０の位置から主ポインティングデバイスでの操作となる。そして、次に行われる操作は、選択されたオブジェクトが対象とした所望の操作を指示することができる（Ｓ１０４）。例えば、操作ボタン４０を用いて、オブジェクトの切り取り、コピー、削除等の動作を指示することが可能となる。
【００３３】
本実施形態に係るポインティングデバイスによれば、１のポインティングデバイスにおいて、操作内容の目的に応じて、主ポインティングデバイスと副ポインティングデバイスとで操作を分担させることで、操作性能を向上することができる。すなわち、操作対象となるオブジェクトの位置（座標）を指定するための主ポインティングデバイスと、付随する操作を行う副ポインティングデバイスを分けることにより、操作内容に伴う座標移動を排除することで操作性を向上させるとともに、ポインティングデバイス内の位置指定を行う部分が不安定なポインティングデバイスであっても指定された位置の保持を容易にすることができる。
【００３４】
よって、操作対象となる座標を指示する際に操作ミスによる意図しない座標のズレが発生しにくく、ズレが生じてしまった場合の座標の再指定操作を不要とすることができる。
【００３５】
なお、第１の実施形態では、光学マウス部、操作ボタンを主ポインティングデバイスとして、タッチパネルを副ポインティングデバイスとして用いる例について説明したが、タッチパネルを主ポインティングデバイスとして、光学マウス部、操作ボタンを副ポインティングデバイスとして機能させるようにしても良い。以下の実施形態についても同様である。
【００３６】
［第２の実施形態］
以下、本発明に係るポインティングデバイスの他の実施形態について説明する。なお、上記実施形態と同様の点についての説明は適宜省略する。
【００３７】
上記第１の実施形態では、複数点検出タッチパネルを備える例について説明したが、タッチパネルが単一の座標のみ検出可能な構成（単一点検出タッチパネルともいう）である場合について、第２の実施形態で説明する。単一点検出タッチパネルを用いる場合、選択範囲の始点選択と終点選択とを切り替える操作が必要となる。
【００３８】
図６は、情報処理装置７０のモニターなどの表示部７１に３つのオブジェクト８１，８２，８３が表示されている様子を示す模式図である。以下、この３つのオブジェクト８１，８２，８３を同時に選択して、３つのオブジェクト８１，８２，８３に所定の処理をする操作について説明する。
【００３９】
先ず、図６（ａ）に示すように、主ポインティングデバイスにより操作対象オブジェクト（オブジェクト８１）へポインタ８０を移動させる（Ｓ１０１）。変位検出部３１はポインティングデバイス１０の変位量、変位方向を検出して、この変位量、変位方向に対応して、ポインタ８０は移動する。
【００４０】
次いで、副ポインティングデバイスによる選択操作を開始する（Ｓ１０２）。すなわち、タッチパネル２０に接触すると、主ポインティングデバイスはロックされ、主ポインティングデバイスにより指示された座標位置からタッチ操作が可能となる。十字ポインタ８５がポインタ８０の位置に表示される。
【００４１】
そして、図６（ｂ）に示すように、タッチ操作により選択枠８４の始点（選択開始位置）を決定する。単一点検出タッチパネルであるため、ユーザはタッチパネル２０のスライド操作により、十字ポインタ８５を移動させて、始点を決定する。
【００４２】
そして、所定の切替ボタンが押下されることで、タッチ操作による選択枠８４の終点（選択終了位置）の指定へ切り替わる。この時の切替ボタンとして、専用の操作ボタンをポインティングデバイス１０に設けても良いが、既存のボタン（Ｌボタン４０ａ）などを切替ボタンすることができる。すなわち、例えば、副ポインティングデバイスでの操作中にＬボタン４０ａが押下された場合に、選択開始位置の位置指定から選択終了位置の位置指定に切り替える制御を行う。また、再押下された場合に、選択開始終了の位置指定から選択開始位置の位置指定に戻す制御を行う。
【００４３】
切替ボタンが押下されると、図６（ｃ）に示すように、ユーザはタッチパネル２０のスライド操作により、十字ポインタ８５を移動させて、終点を決定する。なお、単一点検出タッチパネルを使用する際は、始点と終点を含んで形成される矩形が選択範囲（選択枠８４）となる。
【００４４】
そして、点線で示す選択枠８４を、操作対象としたいオブジェクトをすべて含んだ所望の大きさとすると、タッチパネル２０への接触を解除して、副ポインティングデバイスによる選択操作を終了する（Ｓ１０３）。
【００４５】
Ｓ１０３の操作終了時に、図６（ｄ）に示すように、十字ポインタ８５および選択枠８４の表示は解除され、選択枠８４で選択された矩形範囲内のオブジェクト８１，８２，８３が選択された状態となる。この際、ポインタ８０の位置から主ポインティングデバイスでの操作となる。そして、次に行われる操作は、選択されたオブジェクトが対象とした所望の操作を指示することができる（Ｓ１０４）。
【００４６】
なお、第２の実施形態では、切替ボタンの押下により、選択開始位置の位置指定と選択終了位置の位置指定とを切り替えたが、これをタッチパネル２０の所定のタッチ操作により判断するようにしても良い。例えば、タッチパネル２０への接触を絶ち、すぐに再度接触する操作（タップ操作）により、この切り替えを行うようにしても良い。この場合、Ｓ１０３の接触解除の判断は、タップ操作と判別するために、所定時間以上接触が解除された場合とすればよい。
【００４７】
［第３の実施形態］
（ポインティングデバイスの構成）
第１、第２の実施形態では、タッチパネル２０を備えるポインティングデバイス１０について説明したが、切替ボタンにより、主ポインティングデバイスと副ポインティングデバイスの機能を切り替えるようにしても良い。すなわち、副ポインティングデバイスを主ポインティングデバイスと同じく、光学センサ部３０および変位検出部３１によるポインティングデバイスの相対移動距離検出と、操作ボタン４０および操作検出部４１によるボタン操作とするものである。
【００４８】
図７に本実施形態に係るポインティングデバイスの外観図を示す。図７に示すポインティングデバイス１０は、切替手段としての主／副切替ボタン２２を備えた光学式マウスである。ポインティングデバイス１０は、上面側に操作ボタン４０（Ｌボタン４０ａ、Ｒボタン４０ｂ）が設けられるとともに、主／副切替ボタン２２が左側面に設けられている。また、光学センサ部３０が設けられている。なお、３以上の操作ボタン４０を有する場合、そのうちの一つを主／副切替ボタン２２とするようにしても良い。
【００４９】
図７に示すポインティングデバイス１０は、例えば、ユーザが右手で操作を行う際、主／副切替ボタン２２を親指で、操作ボタン４０を人差し指、中指などで操作することが可能となる。
【００５０】
また、図８に図７に示すポインティングデバイスのブロック図を示す。図８に示すように、ポインティングデバイス１０は、主／副切替ボタン２２と、光学センサ部３０と、操作ボタン４０と、コントローラ５０と、情報処理装置７０に信号を出力する信号出力部６０と、を備えている。
【００５１】
また、切替操作検出部２３、変位検出部３１、および操作検出部４１を備えており、切替操作検出部２３は、主／副切替ボタン２２のクリックがあったことを検出し、これをコントローラ５０へ送る。
【００５２】
（ポインティングデバイスの制御）
本実施形態では、ポインティングデバイス１０を主ポインティングデバイスとして使用する場合、Ｌボタン４０ａを左クリック操作用、Ｒボタン４０ｂを右クリック操作用、主／副切替ボタン２２を副ポインティングデバイスへの切り替えに使用する。また、ポインティングデバイス１０を副ポインティングデバイスとして使用する場合は、Ｌボタン４０ａを選択開始位置の選択、Ｒボタン４０ｂを選択終了位置の選択、主／副切替ボタン２２を主ポインティングデバイスへの切り替えに使用するものである。
【００５３】
図９は、情報処理装置７０のモニターなどの表示部７１に３つのオブジェクト８１，８２，８３が表示されている様子を示す模式図である。以下、この３つのオブジェクト８１，８２，８３を同時に選択して、３つのオブジェクト８１，８２，８３に所定の処理をする操作について説明する。
【００５４】
先ず、図９（ａ）に示すように、主ポインティングデバイスにより操作対象オブジェクト（オブジェクト８１）へポインタ８０を移動させる（Ｓ１０１）。変位検出部３１はポインティングデバイス１０の変位量、変位方向を検出して、この変位量、変位方向に対応して、ポインタ８０は移動する。
【００５５】
次いで、副ポインティングデバイスによる選択操作を開始する（Ｓ１０２）。すなわち、主／副切替ボタン２２を押下することで、主ポインティングデバイスから副ポインティングデバイスでの操作に切り替わる。
【００５６】
主／副切替ボタン２２が押下されることで、ポインタ８０の位置に十字ポインタ８５が表示されて、図９（ｂ）に示すように、選択枠８４の選択開始位置が可能となる。選択開始位置の指定はLボタン４０ａの押圧よる。次いで、図９（ｃ）に示すように、選択終了位置を指定する。選択終了位置の指定はＲボタン４０ｂの押圧よる。
【００５７】
そして、点線で示す選択枠８４を、操作対象としたいオブジェクトをすべて含んだ所望の大きさとすると、副ポインティングデバイスによる選択操作を終了する（Ｓ１０３）。
【００５８】
次いで、主／副切替ボタン２２が押下されることで、副ポインティングデバイスから主ポインティングデバイスでの操作に戻る。そして、図９（ｄ）に示すように、十字ポインタ８５および選択枠８４の表示は解除され、選択枠８４で選択された矩形範囲内のオブジェクト８１，８２，８３が選択された状態となる。この際、ポインタ８０の位置から主ポインティングデバイスでの操作となる。そして、次に行われる操作は、選択されたオブジェクトが対象とした所望の操作を指示することができる（Ｓ１０４）。
【００５９】
この第３の実施形態に係るポインティングデバイスによれば、タッチパネルを備えることなく、簡易な構成により、１のポインティングデバイスにおいて、操作内容の目的に応じて、主ポインティングデバイスと副ポインティングデバイスとで操作を分担させることで、操作性能を向上することができる。
【００６０】
以上、第１〜第３の実施形態では、ポインティングデバイス１０として、光学式マウスを例にしたが、機械式マウスを用いても良い。また、ポインティングデバイス１０はマウスに限られるものではなく、ライトペン、タブレット、タッチパッド、タッチパネルなどに適用しても良い。また、ポインティングデバイス１０が情報処理装置７０本体に設けられる構成であっても良い。
【００６１】
［第４の実施形態］
また、眼鏡型表示装置に適用することもできる。図１０は、本発明に係るポインティングデバイスの一実施形態である眼鏡型表示装置の要部拡大図である。このポインティングデバイス（眼鏡型表示装置９０）は、ヘッドマウントディスプレイ型であって、操作者の眼球を撮影する撮像装置（撮像装置９１）と、撮影画像に基づいて操作者の視線を追尾する制御部と、操作者の視線位置を表示する表示装置９３と、タッチパネル９４と、を備え、撮像装置９１および制御部による表示装置への視線の表示が主ポインティングデバイス、タッチパネル９４が副ポインティングデバイスとして機能するものである。
【００６２】
図１０に示す矢印が装着者の視線の方向（前方）を示し、図１０では、眼鏡型表示装置９０の視線側の部分（フロント部）と、テンプル９２の右側の一部を示している。
【００６３】
図１０に示すように、眼鏡型表示装置９０のフロント部には、装着者の目の動きを撮影する撮像装置（カメラ）９１が設けられている。また、フレーム９５には撮影画像に基づいて操作者の視線を追尾するとともに表示装置９３へこれを表示させる制御部が内蔵されている。さらに、右側のテンプル９２には、タッチパネル９４が設けられている。
【００６４】
ここで、撮像装置９１は、装着者が表示装置９３上のいずれの位置を注視しているか、すなわち、装着者の視線を追尾し、この追尾結果に基づいて、表示装置９３上の所定位置を選択するための主ポインティングデバイスとして機能する。そして、所望の選択位置で、例えば、タッチパネル９４の操作を開始することで、タッチパネル９４を副ポインティングデバイスとして機能させるものである。
【００６５】
以上説明した本実施形態に係るポインティングデバイスは、グラフィックまたはテキストによる表示装置と表示装置内の任意の座標を指定する為のポインティングデバイスを必要とする情報処理装置に用いることができる。また、マウス、ライトペン、タブレット、タッチパッド、タッチパネル等に適用して、パーソナルコンピュータ（ＰＣ）、ワークステーション、携帯端末、スマートフォン、ゲーム機等の情報処理装置に用いることができる。また、カメラによるモーションキャプチャ、視線追尾をポインティングデバイスとして使用する情報処理装置に用いることができる。
【００６６】
尚、上述の実施形態は本発明の好適な実施の例ではあるがこれに限定されるものではなく、本発明の要旨を逸脱しない範囲において種々変形実施可能である。
【符号の説明】
【００６７】
１０  ポインティングデバイス
２０  タッチパネル
２１  タッチ操作検出部
２２  主／副切替ボタン
２３  切替操作検出部
３０  光学センサ部
３１  変位検出部
４０  操作ボタン
４０ａ  Ｌボタン
４０ｂ  Ｒボタン
４１  操作検出部
５０  コントローラ
６０  信号出力部
７０  情報処理装置
７１  表示部
８０  ポインタ
８１，８２，８３  オブジェクト
８４  選択枠
８５  十字ポインタ
９０  眼鏡型表示装置
９１  撮像装置
９２  テンプル
９３  表示装置
９４  タッチパネル
９５  フレーム
【先行技術文献】
【特許文献】
【００６８】
【特許文献１】特開２０１１−１８１００４号公報
【図１】
2015141686.tif 000003
【図２】
2015141686.tif 000004
【図３】
2015141686.tif 000005
【図４】
2015141686.tif 000006
【図６】
2015141686.tif 000007
【図７】
2015141686.tif 000008
【図８】
2015141686.tif 000009
【図９】
2015141686.tif 000010
【図１０】
2015141686.tif 000011
【図５】
2015141686.tif 000012